(57)【要約】【課題】頭髪を束ねる装飾品で、本体の接触面にユーザの頭髪と点接触する複数の微小な凸部が突設された弾性を有する頭飾品を提供する。【解決手段】頭飾品は、本体１を備える。本体１は、ループ状に射出成形され、靭性及び引張り強さを有し、頭髪を挿入させる内部に設けられた内周空間１２と、複数の微小な凸部１１が突設された接触面１４と、平滑面である非接触面１５とを有する。頭髪から容易に取り外すことが可能なように、頭髪を束ねる際に本体１上の凸部１１と頭髪とが点接触される。本体１は、互いに接触する幾何学的形状がループ状に配列されて構成され、適宜な箇所に、本体１の形状に対応した伸縮空間１３が設けられる。本体１の先端部は細帯状のバンドである。【選択図】図１
0003174727.tif 000002
【実用新案登録請求の範囲】
【請求項１】
本体を備える弾性を有する頭飾品であって、
前記本体は、ループ状に射出成形され、靭性及び引張り強さを有し、頭髪を挿入させる内部に設けられた内周空間と、複数の微小な凸部が突設された接触面と、平滑面である非接触面と、を有し、
頭髪から容易に取り外すことが可能なように、頭髪を束ねる際に前記本体上の前記凸部と頭髪とが点接触されることを特徴とする弾性を有する頭飾品。
【請求項２】
前記本体は、互いに接触する幾何学的形状がループ状に配列されて構成され、適宜な箇所に、前記本体の形状に対応した伸縮空間が設けられることを特徴とする請求項１に記載の弾性を有する頭飾品。
【請求項３】
前記本体の先端部は細帯状のバンドであることを特徴とする請求項１に記載の弾性を有する頭飾品。
【考案の詳細な説明】
【技術分野】
【０００１】
本考案は、弾性を有する頭飾品に関し、特に、頭髪を束ねる装飾品で、本体の接触面にユーザの頭髪と点接触する複数の微小な凸部が突設された弾性を有する頭飾品に関する。
【背景技術】
【０００２】
頭飾品は、現代女性にとって重要な装飾品の一つである。仕事の必要性から頭髪を束ねたり美しさを求めて頭髪をセットしたりするとき、頭飾品を用いて実用性及び見栄えを向上させる。従来の弾性を有する頭飾品は、平滑面で髪と面接触されているため、抵抗が大きく頭髪から取り外しにくいものが多かった。また、従来の頭飾品は、幾何学的形状をなしたり見栄えが美しかったりするものが非常に少ないことが一般的である。そこで、異なる構造の弾性を有する頭飾品により、従来の弾性を有する頭飾品の欠点を解決することが求められていた。
【先行技術文献】
【特許文献】
【０００３】
【特許文献１】なし
【考案の概要】
【考案が解決しようとする課題】
【０００４】
本考案の主な目的は、本体が可撓性を有し、本体の接触面に突設された複数の凸部と頭髪とが点接触するため、髪質が傷ついたり頭髪が引張られて切れたりすることなく、頭髪から容易に取り外すことができ、ヘアゴム又はヘアバンドとして使用することができる弾性を有する頭飾品を提供することにある。
【０００５】
本考案のもう一つの目的は、互いに接触する幾何学的形状がループ状に配列されて射出成形された本体が可撓性を有するため、引き伸ばされて変形する弾性を有する頭飾品を提供することにある。
【課題を解決するための手段】
【０００６】
上記課題を解決するために、本考案の第１の形態によれば、本体を備える弾性を有する頭飾品であって、前記本体は、ループ状に射出成形され、靭性及び引張り強さを有し、頭髪を挿入させる内部に設けられた内周空間と、複数の微小な凸部が突設された接触面と、平滑面である非接触面と、を有し、頭髪から容易に取り外すことが可能なように、頭髪を束ねる際に前記本体上の前記凸部と頭髪とが点接触されることを特徴とする弾性を有する頭飾品が提供される。
【０００７】
また、前記本体は、互いに接触する幾何学的形状がループ状に配列されて構成され、適宜な箇所に、前記本体の形状に対応した伸縮空間が設けられることが好ましい。
【０００８】
また、前記本体の先端部は細帯状のバンドであることが好ましい。
【考案の効果】
【０００９】
本考案の弾性を有する頭飾品は、以下（１）及び（２）の効果を有する。
（１）本体が可撓性を有し、本体の接触面に突設された複数の凸部と頭髪とが点接触するため、髪質が傷ついたり頭髪が引張られて切れたりすることなく、頭髪から容易に取り外すことができ、ヘアゴム又はヘアバンドとして使用することができる。
（２）互いに接触する幾何学的形状がループ状に配列されて射出成形された本体が可撓性を有するため、引き伸ばされて変形する。
【図面の簡単な説明】
【００１０】
【図１】本考案の第１実施形態による弾性を有する頭飾品を示す斜視図である。
【図２】本考案の第１実施形態による弾性を有する頭飾品を示す部分拡大図である。
【図３】本考案の第１実施形態による弾性を有する頭飾品を実際に使用したときの状態を示す斜視図である。
【図４】本考案の第２実施形態による弾性を有する頭飾品を示す斜視図である。
【図５】本考案の第３実施形態による弾性を有する頭飾品を示す斜視図である。
【図６】本考案の第４実施形態による弾性を有する頭飾品を示す斜視図である。
【図７】本考案の第４実施形態による弾性を有する頭飾品を実際に使用したときの状態を示す斜視図である。
【考案を実施するための形態】
【００１１】
以下、本考案の実施形態について図に基づいて説明する。なお、これによって本考案が限定されるものではない。
【００１２】
＜第１実施形態＞
図１〜図３を参照する。図１〜図３に示すように、本考案の第１実施形態による弾性を有する頭飾品は一体成形されている。本体１は、互いに接触する幾何学的形状がループ状に配列されて構成されている。本体１は、適宜な箇所に、本体１の形状に対応した伸縮空間１３が設けられ、内部に、頭髪を挿入する内周空間１２が設けられている。本体１の接触面１４には、複数の微小な凸部１１が突設されている。ユーザが頭髪を束ねるとき、本体１上の凸部１１と頭髪とが点接触されるため、髪質が傷ついたり頭髪が引張られて切れたりすることなく、頭飾品を頭髪から容易に取り外すことができる。本体１の非接触面１５は平滑面である。
【００１３】
図３を参照する。図３に示すように、本考案の第１実施形態による弾性を有する頭飾品を実際に使用するとき、本体１が可撓性を有するため自在に引き伸ばされて変形する。伸縮空間１３は、本体１の変形に応じて変形する。ユーザが頭髪を束ねるとき、本体１の幾何学的形状は、頭髪の量及び髪型に応じて様々な幾何学的形状になる。
【００１４】
＜第２実施形態＞
図４を参照する。図４に示すように、本考案の第２実施形態による弾性を有する頭飾品は、蝶ネクタイ状などに造形することができるループ状の本体２を有する。本体２内には、ユーザの頭髪を挿入する内周空間２２が設けられている。本体２の接触面２３には、複数の微小な凸部２１が突設されている。
【００１５】
＜第３実施形態＞
図５を参照する。図５に示すように、本考案の第３実施形態による弾性を有する頭飾品は、ループ状の本体３を有する。本体３内には、ユーザの頭髪を挿入する内周空間３２が設けられている。本体３の接触面３４には、複数の微小な凸部３１が突設されている。本体３の非接触面３５には、複数の直線状の弾性紐３３が放射状に配置されている。第３実施形態による頭飾品は、靭性及び引張り強さを有する。ユーザが頭髪を束ねるとき、本体３の非接触面３５に配置された複数の弾性紐３３は、軽快に揺れ動き、生き生きとした見栄えになる。
【００１６】
＜第４実施形態＞
図６及び図７を参照する。図６及び図７に示すように、本考案の第４実施形態による弾性を有する頭飾品は、互いに接触する幾何学的形状がループ状に配列されて構成された本体４を有する。本体４は、適宜な箇所に、本体４の形状に対応した伸縮空間４３が設けられ、先端部に、細帯状のバンド４４が設けられ、内部に、頭髪を挿入する内周空間４２が設けられている。本体４の接触面４５には、複数の微小な凸部４１が突設されている。第４実施形態の頭飾品を実際に使用するとき、本体４が可撓性を有するため自在に引き伸ばされて変形することが可能である。伸縮空間４３は、本体４の変形に応じて変形する。ユーザが頭髪を束ねるとき、本体４の幾何学的形状は、頭髪の量及び髪型に応じて様々な幾何学的形状になることが可能である（図７参照）。
【００１７】
上述したことから分かるように、本考案の本体１，２，３，４内には、頭髪を挿入する内周空間１２，２２，３２，４２が設けられている。本体１，２，３，４の接触面１４，２３，３４，４５には、複数の微小な凸部１１，２１，３１，４１が突設されている。ユーザが髪を束ねるとき、本体１，２，３，４上の凸部１１，２１，３１，４１と頭髪とが点接触されるため、髪質が傷ついたり頭髪が引張られて切れたりすることなく、頭飾品を頭髪から容易に取り外すことができる。本体１，４は、互いに接触する幾何学的形状がループ状に配列されて構成され、適宜な箇所に、本体１，４の形状に対応した伸縮空間１３，４３が設けられている。本実施形態の頭飾品を実際に使用するとき、本体１，４は可撓性を有するため、自在に引き伸ばされて変形される。伸縮空間１３，４３は、本体１，４の変形に応じて変形する。ユーザが頭髪を束ねるとき、本体１，４の形状は、頭髪の量及び髪型に応じて様々な幾何学的形状に変化する。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１    本体
２    本体
３    本体
４    本体
１１  凸部
１２  内周空間
１３  伸縮空間
１４  接触面
１５  非接触面
２１  凸部
２２  内周空間
２３  接触面
３１  凸部
３２  内周空間
３３  弾性紐
３４  接触面
３５  非接触面
４１  凸部
４２  内周空間
４３  伸縮空間
４４  バンド
４５  接触面
【図１】
0003174727.tif 000003
【図２】
0003174727.tif 000004
【図３】
0003174727.tif 000005
【図４】
0003174727.tif 000006
【図５】
0003174727.tif 000007
【図６】
0003174727.tif 000008
【図７】
0003174727.tif 000009